(57)【特許請求の範囲】
【請求項１】
第１ＬＡＮ内に位置しパケットを転送可能な第１ルーティング対象装置のアドレスである第１ルーティング対象アドレスと、第２ＬＡＮ内に位置する第２中継サーバがパケットを転送可能な第２ルーティング対象装置のアドレスである第２ルーティング対象アドレスと、を記憶するアドレスフィルタ情報記憶部と、
パケットを受信した旨を通知する条件である通知条件を記憶する通知条件記憶部と、
制御部と、を備え、
前記制御部は、
前記第２中継サーバへ前記第１ルーティング対象アドレスを送信するとともに、前記第２中継サーバから前記第２ルーティング対象アドレスを受信し、前記第２ルーティング対象アドレスを前記アドレスフィルタ情報記憶部に記憶し、前記第２中継サーバとルーティングセッションを確立する制御と、
前記第１ルーティング対象装置から前記第２ルーティング対象アドレスを宛先とするパケットを受信した際に、当該パケットを、前記ルーティングセッションを介して前記第２中継サーバへ転送する制御と、
前記ルーティングセッションから前記第１ルーティング対象アドレスを宛先とするパケットを受信した際に、当該パケットを、宛先の前記第１ルーティング対象装置へ転送する制御と、
前記ルーティングセッション又は前記第１ＬＡＮからパケットを受信したときに、前記通知条件を満たすか否かを判定し、前記通知条件を満たすと判定した場合に通知を行う制御と、
を行い、
前記通知条件には、パケットの宛先アドレス又は送信元アドレスが、前記アドレスフィルタ情報記憶部に記憶されていないアドレスであることが含まれることを特徴とする中継サーバ。
【請求項２】
請求項１に記載の中継サーバであって、
前記通知条件記憶部が記憶する通知条件と、前記第２中継サーバが記憶する前記通知条件と、が等しいことを特徴とする中継サーバ。
【請求項３】
請求項２に記載の中継サーバであって、
前記制御部は、前記第１ルーティング対象アドレスとともに前記通知条件を前記第２中継サーバへ送信することを特徴とする中継サーバ。
【請求項４】
請求項１から３までの何れか一項に記載の中継サーバであって、
前記制御部は、前記通知条件を満たすと判定した場合に、前記第１ＬＡＮに所属する端末及び前記第２ＬＡＮに所属する端末の両方へ通知を行うことを特徴とする中継サーバ。
【請求項５】
請求項１から４までの何れか一項に記載の中継サーバであって、
前記制御部は、前記通知条件を満たすと判定して通知を行った場合に、当該通知内容を記録することを特徴とする中継サーバ。
【請求項６】
第１中継サーバ及び第２中継サーバを含んで構成される中継通信システムにおいて、
第１ＬＡＮ内に位置する中継サーバは、
当該第１中継サーバがパケットを転送可能な第１ルーティング対象装置のアドレスである第１ルーティング対象アドレスと、第２ＬＡＮ内に位置する前記第２中継サーバがパケットを転送可能な第２ルーティング対象装置のアドレスである第２ルーティング対象アドレスと、を記憶するアドレスフィルタ情報記憶部と、
パケットを受信した旨を通知する条件である通知条件を記憶する通知条件記憶部と、
制御部と、
を備え、
前記制御部は、
前記第２中継サーバへ前記第１ルーティング対象アドレスを送信するとともに、前記第２中継サーバから前記第２ルーティング対象アドレスを受信し、前記第２ルーティング対象アドレスを前記アドレスフィルタ情報記憶部に記憶し、前記第２中継サーバとルーティングセッションを確立する制御と、
前記第１ルーティング対象装置から前記第２ルーティング対象アドレスを宛先とするパケットを受信した際に、当該パケットを、前記ルーティングセッションを介して前記第２中継サーバへ転送する制御と、
前記ルーティングセッションから前記第１ルーティング対象アドレスを宛先とするパケットを受信した際に、当該パケットを、宛先の前記第１ルーティング対象装置へ転送する制御と、
前記ルーティングセッション又は前記第１ＬＡＮからパケットを受信したときに、前記通知条件を満たすか否かを判定し、前記通知条件を満たすと判定した場合に通知を行う制御と、
を行い、
前記通知条件には、パケットの宛先アドレス又は送信元アドレスが、前記アドレスフィルタ情報記憶部に記憶されていないアドレスであることが含まれることを特徴とする中継通信システム。
【発明の詳細な説明】
【技術分野】
【０００１】
本発明は、主として、異なるＬＡＮ（Ｌｏｃａｌ  Ａｒｅａ  Ｎｅｔｗｏｒｋ）に接続されている機器間の通信を可能とする中継サーバに関する。
【背景技術】
【０００２】
従来から、物理的に離れた場所に設置されたＬＡＮ同士で通信を行う仮想プライベートネットワーク（Ｖｉｒｔｕａｌ  Ｐｒｉｖａｔｅ  Ｎｅｔｗｏｒｋ，ＶＰＮ）と呼ばれる通信技術が知られている。特許文献１に示す例では、物理的に離れた位置に設置された複数のＬＡＮのそれぞれに中継サーバ及び通信端末等が接続されている。通信端末は、このＶＰＮを利用して、他のＬＡＮに接続された通信端末へパケットを送信することができる。具体的には、通信端末が送信するパケットは、初めに同一ＬＡＮ内の中継サーバへ送られる。この中継サーバは、インターネットを介して、宛先の通信端末と同一のＬＡＮ内の中継サーバへパケットを送信（転送）する。そして、このパケットを受信した中継サーバは、宛先の通信端末へパケットを送信（転送）する。
【０００３】
このＶＰＮを利用することにより、遠隔地にある他のＬＡＮを、あたかも直接接続されているネットワークであるかのように使用することができる。
【先行技術文献】
【特許文献】
【０００４】
【特許文献１】特開２０１０−２６８３１２号公報
【発明の概要】
【発明が解決しようとする課題】
【０００５】
ところで、ＶＰＮを利用して通信を行う場合、登録されていない機器から不正なアクセスが行われる可能性がある。この不正なアクセスによって、最悪の場合は情報が漏洩してしまう。また、登録されている機器からのアクセスであっても、例えば権限のないユーザによって個人情報又は営業秘密等の情報が取得されることは情報管理上好ましくない。
【０００６】
このように、ＶＰＮを利用して通信を行う場合、セキュリティの観点から、通信の流れを把握できる構成が望まれていた。
【０００７】
本発明は以上の事情に鑑みてされたものであり、その主要な目的は、ルーティングセッションを介して行われる通信の流れを把握可能な中継通信システムを構築できる中継サーバを提供することにある。
【課題を解決するための手段及び効果】
【０００８】
本発明の解決しようとする課題は以上の如くであり、次にこの課題を解決するための手段とその効果を説明する。
【０００９】
本発明の第１の観点によれば、以下の構成の中継サーバが提供される。即ち、この中継サーバは、アドレスフィルタ情報記憶部と、通知条件記憶部と、制御部と、を備える。前記アドレスフィルタ情報記憶部は、第１ＬＡＮ内に位置し（中継サーバが）パケットを転送可能な第１ルーティング対象装置のアドレスである第１ルーティング対象アドレスと、第２ＬＡＮ内に位置する第２中継サーバがパケットを転送可能な第２ルーティング対象装置のアドレスである第２ルーティング対象アドレスと、を記憶する。前記通知条件記憶部は、パケットを受信した旨を通知する条件である通知条件を記憶する。前記制御部は、前記第２中継サーバへ前記第１ルーティング対象アドレスを送信するとともに、前記第２中継サーバから前記第２ルーティング対象アドレスを受信し、前記第２ルーティング対象アドレスを前記アドレスフィルタ情報記憶部に記憶し、前記第２中継サーバとルーティングセッションを確立する。前記制御部は、前記第１ルーティング対象装置から前記第２ルーティング対象アドレスを宛先とするパケットを受信した際に、当該パケットを、前記ルーティングセッションを介して前記第２中継サーバへ転送する。前記制御部は、前記ルーティングセッションから前記第１ルーティング対象アドレスを宛先とするパケットを受信した際に、当該パケットを、宛先の前記第１ルーティング対象装置へ転送する。前記制御部は、前記ルーティングセッション又は前記第１ＬＡＮからパケットを受信したときに、前記通知条件を満たすか否かを判定し、前記通知条件を満たすと判定した場合に通知を行う。前記通知条件には、パケットの宛先アドレス又は送信元アドレスが、前記アドレスフィルタ情報記憶部に記憶されていないアドレスであることが含まれる。
【００１０】
これにより、ユーザは、中継通信システムで行われる通信のうち通知条件を満たす通信があったことを知ることができる。従って、ユーザは、例えば登録されていない端末からのアクセス等、セキュリティの観点から注意を払うべき通信を把握することができる。そのため、ユーザは、情報の漏洩を未然に防ぐことが可能となる。また、ユーザは、万が一情報が漏洩した場合であっても、事態の拡大を防ぐための対応を即座に行うことが可能となる。
【００１１】
前記の中継サーバにおいては、前記通知条件記憶部が記憶する通知条件と、前記第２中継サーバが記憶する前記通知条件と、が等しいことが好ましい。
【００１２】
これにより、通知が行われる条件を中継通信システム内で同一にできるので、統一した管理ができる。また、本発明の中継サーバ以外に他の中継サーバがアクセスの監視を行うので、本発明の中継サーバに到達しないパケットについても監視対象とすることができる。
【００１３】
前記の中継サーバにおいては、前記制御部は、前記第１ルーティング対象アドレスとともに前記通知条件を前記第２中継サーバへ送信することが好ましい。
【００１４】
これにより、通知条件を独立して送信する場合と比較して、中継サーバ間の通信を単純にすることができる。
【００１５】
前記の中継サーバにおいては、前記制御部は、前記通知条件を満たすと判定した場合に、前記第１ＬＡＮに所属する端末及び前記第２ＬＡＮに所属する端末の両方へ通知を行うことが好ましい。
【００１６】
これにより、登録されていない端末からアクセスがあったことを、より多くの端末へ通知することができる。従って、例えば第１ＬＡＮの設置先が無人である場合又は第１ＬＡＮの設置先に通知に対応可能なユーザがいない場合であっても、通知に即座に対応することができる。
【００１７】
前記の中継サーバにおいては、前記制御部は、前記通知条件を満たすと判定して通知を行った場合に、当該通知内容を記録することが好ましい。
【００１８】
これにより、ユーザ等は、記録された過去の通知内容を分析して、当該分析結果に基づいて不審なアクセス等に対処することができる。
【００１９】
本発明の第２の観点によれば、以下の構成の中継通信システムが提供される。即ち、中継通信システムは、第１中継サーバ及び第２中継サーバを含んで構成される。第１ＬＡＮ内に位置する中継サーバは、アドレスフィルタ情報記憶部と、通知条件記憶部と、制御部と、を備える。前記アドレスフィルタ情報記憶部は、当該第１中継サーバがパケットを転送可能な第１ルーティング対象装置のアドレスである第１ルーティング対象アドレスと、第２ＬＡＮ内に位置する前記第２中継サーバがパケットを転送可能な第２ルーティング対象装置のアドレスである第２ルーティング対象アドレスと、を記憶する。前記通知条件記憶部は、パケットを受信した旨を通知する条件である通知条件を記憶する。前記制御部は、前記第２中継サーバへ前記第１ルーティング対象アドレスを送信するとともに、前記第２中継サーバから前記第２ルーティング対象アドレスを受信し、前記第２ルーティング対象アドレスを前記アドレスフィルタ情報記憶部に記憶し、前記第２中継サーバとルーティングセッションを確立する。前記制御部は、前記第１ルーティング対象装置から前記第２ルーティングアドレスを宛先とするパケットを受信した際に、当該パケットを、前記ルーティングセッションを介して前記第２中継サーバへ転送する。前記制御部は、前記ルーティングセッションから前記第１ルーティング対象アドレスを宛先とするパケットを受信した際に、当該パケットを、宛先の前記第１ルーティング対象装置へ転送する。前記制御部は、前記ルーティングセッション又は前記第１ＬＡＮからパケットを受信したときに、前記通知条件を満たすか否かを判定し、前記通知条件を満たすと判定した場合に通知を行う。前記通知条件には、パケットの宛先アドレス又は送信元アドレスが、前記アドレスフィルタ情報記憶部に記憶されていないアドレスであることが含まれる。
【００２０】
これにより、ユーザは、中継通信システムで行われる通信のうち通知条件を満たす通信があったことを知ることができる。従って、ユーザは、例えば登録されていない端末からのアクセス等、セキュリティの観点から注意を払うべき通信を把握することができる。そのため、ユーザは、情報の漏洩を未然に防ぐことが可能となる。また、ユーザは、万が一情報が漏洩した場合であっても、事態の拡大を防ぐための対応を即座に行うことが可能となる。
【図面の簡単な説明】
【００２１】
【図１】本発明の一実施形態に係る中継通信システムの全体構成を示す説明図。
【図２】中継サーバの機能ブロック図。
【図３】中継グループ情報の内容を示す図。
【図４】中継サーバ情報の内容を示す図。
【図５】クライアント端末情報の内容を示す図。
【図６】ＶＰＮグループ情報の内容を示す図。
【図７】それぞれの中継サーバに予め登録されるアドレスフィルタ情報の内容を示す図。
【図８】ＶＰＮ構築後にアドレスフィルタ情報記憶部が記憶する内容を示す図。
【図９】通知条件の内容を示す図。
【図１０】通知ログの内容を示す図。
【図１１】予め中継サーバに行う設定を示すフローチャート。
【図１２】ＶＰＮグループを作成する処理を示すフローチャート。
【図１３】ＶＰＮを構築する処理を示すフローチャート。
【図１４】ＶＰＮを構築する処理を示すフローチャート。
【図１５】ＬＡＮからパケットを受信したときのルーティング制御を示すフローチャート。
【図１６】ルーティングセッションからパケットを受信したときのルーティング制御を示すフローチャート。
【発明を実施するための形態】
【００２２】
次に、図面を参照して本発明の実施の形態を説明する。初めに、図１を参照して、本実施形態の中継通信システム１００の概要について説明する。図１は、本実施形態に係る中継通信システム１００の全体構成を示す説明図である。
【００２３】
図１に示すように、この中継通信システム１００は、Ｗｉｄｅ  Ａｒｅａ  Ｎｅｔｗｏｒｋ（ＷＡＮ、広域通信網）８０に接続された複数のＬＡＮ１０，２０，３０で構成されている。それぞれのＬＡＮ１０，２０，３０は、限定された場所で構築される比較的小規模なネットワークである。また、ＬＡＮ１０，２０，３０は、それぞれが物理的に離れた場所に配置されている。なお、本実施形態ではＷＡＮ８０としてインターネットが使用されている。
【００２４】
以下、それぞれのＬＡＮを具体的に説明する。図１に示すように、ＬＡＮ（第２ＬＡＮ）１０には、中継サーバ（第２中継サーバ）１と、第２ルーティング対象装置としての操作ＰＣ１１，１２と、クライアント端末１３と、が接続されている。ＬＡＮ２０には、中継サーバ２と、操作ＰＣ２１と、クライアント端末２２と、が接続されている。ＬＡＮ（第１ＬＡＮ）３０には、中継サーバ（第１中継サーバ）３と、第１ルーティング対象装置としての対象端末３１，３２，３３と、クライアント端末３４と、が接続されている。
【００２５】
それぞれの中継サーバ１，２，３は、ＬＡＮ１０，２０，３０だけでなくＷＡＮ８０にも接続されているため、同一のＬＡＮに接続された機器と通信可能であるだけでなく、他のＬＡＮに配置された中継サーバとも通信可能となっている。操作ＰＣ１１，１２，２１は、例えばオペレータが操作するためのパーソナルコンピュータである。対象端末３１，３２，３３は、パーソナルコンピュータ、又は、ファイルサーバ等であり、例えばオペレータは、操作ＰＣ１１等を操作して、対象端末３１等に所定のデータを要求すること、及び、対象端末３１の記憶内容を更新することが想定されている。クライアント端末１３，２２，３４は、例えばパーソナルコンピュータで構成されており、それぞれ自身が所属する中継サーバ１，２，３を介して、互いに通信可能である。
【００２６】
次に、図２を参照して、中継サーバ１，２，３の詳細な構成について説明する。図２は、中継サーバ３の機能ブロック図である。なお、中継サーバ３は中継サーバ１，２と略同じ構成であるので、以下では、主として中継サーバ３について説明する。
【００２７】
図２に示すように、中継サーバ３は、記憶部５０と、制御部６０と、インタフェース部７０と、を備えている。
【００２８】
インタフェース部７０は、ＬＡＮ１０内の端末に対して通信を実行する。また、インタフェース部７０は、ＷＡＮ８０に対して通信を実行する。インタフェース部７０は、ＬＡＮ３０又はＷＡＮ８０から受信したパケットに適宜の処理を行って制御部６０へ出力する。
【００２９】
制御部６０は、例えば制御及び演算の機能を有するＣＰＵであり、記憶部５０から読み出したプログラムにより各種の処理を実行可能である。この制御部６０は、ＴＣＰ／ＩＰ、ＵＤＰ、ＳＩＰ等のプロトコルに従った様々な通信を制御することができる。具体的には、制御部６０は、受信したパケットについて、当該パケットが示す情報と記憶部５０に記憶された情報とに基づいて宛先を決定し、決定した宛先へ当該パケットを送信する。また、制御部６０は、他の端末から受信した情報に基づいて、記憶部５０の記憶内容を更新することができる。
【００３０】
記憶部５０は、例えばハードディスク又は不揮発性ＲＡＭで構成されており、各種データを保存可能である。記憶部５０は、中継グループ情報記憶部５１と、中継サーバ情報記憶部５２と、クライアント端末情報記憶部５３と、ＶＰＮグループ情報記憶部５４と、アドレスフィルタ情報記憶部５５と、通知条件記憶部５６と、通知ログ記憶部５７と、を備えている。以下、図３から図１０までを参照して、記憶部５０の記憶内容について説明する。図３から図１０までは、主として、中継サーバ３の記憶部５０の記憶内容を示す図である。
【００３１】
中継グループ情報記憶部５１は、中継グループと、当該中継グループを構成する中継サーバと、を示した中継グループ情報を記憶している。
【００３２】
図３に示すように、中継グループ情報においては、ｇｒｏｕｐタグと、このｇｒｏｕｐタグを親要素とする子要素のｓｉｔｅタグと、が記述されている。ｇｒｏｕｐタグには中継グループに関するグループ情報５１１が記述されている。このグループ情報５１１としては、中継グループの識別情報（「ｉｄ」）と、最終更新時刻（「ｌａｓｔｍｏｄ」）と、中継グループの名称（「ｎａｍｅ」）と、が記述されている。ｓｉｔｅタグには、中継グループを構成する中継サーバに関するグループ構成情報５１２が記述されている。このグループ構成情報５１２には、当該中継サーバの識別情報（「ｉｄ」）が記述されている。また、中継グループは追加作成が可能であり、その場合、新しい中継グループには、他の中継グループと異なる一意の識別情報が付与される。これにより、特定の中継グループ内だけでデータのやり取りを行う等の設定が可能になっている。
【００３３】
なお、この中継グループ情報は、当該中継グループを構成する中継サーバ１，２，３の間で共有されている。そして、ある中継サーバにおいて中継グループを変更する処理が行われた場合は、他の中継サーバに対してその旨が送信されて中継グループ情報が更新される。このようにして、中継グループ情報が動的に共有される。
【００３４】
中継サーバ情報記憶部５２は、中継通信を行う中継サーバ及び当該中継サーバに所属するクライアント端末の概要を示す中継サーバ情報を記憶している。
【００３５】
図４に示す中継サーバ情報においては、中継サーバ毎に記述されるｓｉｔｅタグと、前記ｓｉｔｅタグを親要素とする子要素のｎｏｄｅタグと、が記述されている。ｓｉｔｅタグには中継サーバ１に関するサーバ情報５２１が記述されている。このサーバ情報５２１としては、中継サーバの識別情報（「ｉｄ」）と、中継サーバの名称（「ｎａｍｅ」）と、起動情報（「ｓｔａｔ」）と、が記述されている。なお、「ｓｔａｔ」の内容が「ａｃｔｉｖｅ」の場合は中継サーバが中継通信システム１００にログインしていることを示し、ｓｔａｔが空欄であるときはログオフ中であることを示す。ｓｉｔｅタグの子要素であるｎｏｄｅタグには、中継サーバに所属するクライアント端末を示す所属情報５２２が記述されている。所属情報５２２としては、所属する中継グループの名称（「ｇｒｏｕｐ」）と、クライアント端末の識別情報（「ｉｄ」）と、クライアント端末の名称（「ｎａｍｅ」）と、所属先の中継サーバの識別情報（「ｓｉｔｅ」）と、が記述されている。なお、クライアント端末が中継通信システム１００にログインしていないときは、「ｓｉｔｅ」は空欄となる。
【００３６】
なお、中継グループによる通信は、上記の中継グループ情報及び中継サーバ情報に基づいて、以下のようにして行われる。例えばクライアント端末１３からクライアント端末２２にパケットを送信する場合、初めに、クライアント端末１３は、自身が接続している中継サーバである中継サーバ１にパケットを送信する。なお、パケットのやり取りが可能な中継サーバは上記の中継グループ情報に基づいて把握することができ、中継サーバに所属しているクライアント端末の識別情報及び接続の可否は上記の中継サーバ情報に基づいて把握することができる。中継サーバ１は、これらの情報に基づいて、クライアント端末２２が接続している中継サーバである中継サーバ２へパケットを転送する。そして、このパケットを受信した中継サーバ２がクライアント端末２２へパケットを転送する。このようにして、クライアント端末１３，２２同士で中継通信を行うことができる。
【００３７】
この中継サーバ情報に関しても中継グループ情報と同様に、当該中継グループを構成する中継サーバ１，２，３の間で情報が共有されている。そして、ある中継サーバにおいて中継サーバ情報を変更する処理が行われた場合は、他の中継サーバに対してその旨が送信されて中継サーバ情報が更新される。このようにして、中継サーバ情報が動的に共有される。
【００３８】
クライアント端末情報記憶部５３は、クライアント端末に関する詳細な情報であるクライアント端末情報を記憶している。なお、中継サーバ１，２，３は、自身に所属するクライアント端末に関するクライアント端末情報のみを記憶している。中継サーバ３には、クライアント端末３４が所属しているため、中継サーバ３が備えるクライアント端末情報記憶部５３には、クライアント端末３４についてのクライアント端末情報のみが記憶されている。
【００３９】
中継サーバ３のクライアント端末情報記憶部５３が記憶するクライアント端末情報は、図５（ｃ）に示されている。同様に、中継サーバ１が記憶するクライアント端末情報が図５（ａ）に、中継サーバ２が記憶するクライアント端末情報が図５（ｂ）に、それぞれ示されている。
【００４０】
図５に示すクライアント端末情報においては、ｎｏｄｅタグが記述されている。このｎｏｄｅタグには、クライアント端末のプライベートＩＰアドレス（「ａｄｄｒ」）と、所属する中継グループの名称（「ｇｒｏｕｐ」）と、識別情報（「ｉｄ」）と、名称（「ｎａｍｅ」）と、中継サーバにログインするためのパスワード（「ｐａｓｓ」）と、ポート情報（「ｐｏｒｔ」）と、が記述されている。
【００４１】
ＶＰＮグループ情報記憶部５４は、中継グループを構成する中継サーバ及びクライアント端末からルーティングポイントとして選択された機器（以下、ルーティング機器と称する）で構成されたＶＰＮグループに関する情報であるＶＰＮグループ情報を記憶している。同一のＶＰＮグループに所属するルーティング機器同士でルーティングセッションを確立させることにより、ＶＰＮを利用した通信を開始することができる。
【００４２】
図６に示すＶＰＮグループ情報においては、ｖｎｅｔタグが記述されている。このｖｎｅｔタグには、ＶＰＮグループ基本情報５４１と、ルーティングポイント情報５４２と、ルーティングセッション情報５４３と、が記述されている。ＶＰＮグループ基本情報５４１には、ＶＰＮグループが所属する中継グループの名称（「ｇｒｏｕｐ」）と、ＶＰＮグループの識別情報（「ｉｄ」）と、最終更新時刻（「ｌａｓｔｍｏｄ」）と、ＶＰＮグループの名称（「ｎａｍｅ」）と、が記述されている。ルーティングポイント情報５４２には、ＶＰＮグループ間で通信を行うときにルーティングを行うルーティング機器の識別情報が記述されている。図６の例においては、ルーティング機器として、中継サーバ１と、中継サーバ３と、が記述されている。ルーティングセッション情報５４３には、ＶＰＮグループにおいて互いに接続されるルーティング機器が記述されている。ルーティングセッション情報５４３において、ルーティング機器は、ＶＰＮグループでＶＰＮを構築して通信を開始するためのルーティングセッション確立処理において、通信制御を最初に行う側（「ｓｐ（ｓｔａｒｔ  ｐｏｉｎｔ）」）と、その通信制御を受ける側「ｅｐ（ｅｎｄ  ｐｏｉｎｔ）」と、に分けて定められている。なお、以下の説明では、ルーティングセッション確立のための通信制御を最初に行う側のルーティング機器を「始点」と、その通信制御を受ける側のルーティング機器を「終点」と、それぞれ称することがある。
【００４３】
図６に示すＶＰＮグループ情報からは、ＶＰＮグループ（ＶＰＮ−ＧＲＯＵＰ１）が、中継サーバ１と中継サーバ３とで構成されることが分かる。また、このＶＰＮグループの開始時には、中継サーバ３から中継サーバ１へルーティングセッションを確立するための通信制御が行われることが分かる。
【００４４】
このＶＰＮグループ情報も中継サーバ情報及び中継グループ情報と同様に、同じＶＰＮグループに所属する中継サーバ１，３の間で共有されている。そして、ある中継サーバにおいてＶＰＮグループ情報を変更する処理が行われた場合は、同じＶＰＮグループに所属する他の中継サーバに対してその旨が送信されてＶＰＮグループ情報が更新される。このようにして、ＶＰＮグループ情報が動的に共有される。なお、このＶＰＮグループを作成する処理については後述する。
【００４５】
アドレスフィルタ情報記憶部５５は、ＶＰＮを利用したルーティング制御を行う際に用いられる情報であるアドレスフィルタ情報を記憶する。アドレスフィルタ情報記憶部５５は、ＶＰＮの構築前においては、中継サーバ３自身がパケットを直接的に送信可能な装置（ルーティング対象装置）を示す情報（中継サーバ３のアドレスフィルタ情報）を記憶する。なお、アドレスフィルタ情報には、ルーティング対象装置のアドレス（ルーティング対象アドレス）と、ルーティング対象装置の名称と、が含まれる。
【００４６】
図７（ｃ）には、中継サーバ３自身に予め登録されたアドレスフィルタ情報の例が示されている。この例では、中継サーバ３がパケットを直接的に送信可能な機器が対象端末３１，３２，３３であることが記述されている。なお、図７（ａ）には、中継サーバ１に予め登録されたアドレスフィルタ情報が示され、図７（ｂ）には、中継サーバ２に予め登録されたアドレスフィルタ情報が示されている。
【００４７】
上述のように、中継サーバ３のアドレスフィルタ情報記憶部５５は、ＶＰＮを構築する前においては、図７（ｃ）に示すアドレスフィルタ情報のみを記憶する。そして、中継サーバ３は、例えば中継サーバ１とルーティングセッションを確立させるときに、自身に予め登録されたアドレスフィルタ情報（図７（ｃ））を中継サーバ１へ送信するとともに、中継サーバ１からもアドレスフィルタ情報（図７（ａ））を受信する。そして、中継サーバ３は、中継サーバ１のアドレスフィルタ情報を当該中継サーバ１の識別情報と対応付けてアドレスフィルタ情報記憶部５５に記憶する。
【００４８】
これにより、中継サーバ３のアドレスフィルタ情報記憶部５５には、図８に示す内容が記憶されることになる。なお、中継サーバ１のアドレスフィルタ情報記憶部５５にも同内容の情報が記憶される。そして、中継サーバ１，３は、この取得したアドレスに基づいて、ルーティング制御を行う（詳細な制御については後述）。なお、以下では、中継サーバ３のアドレスフィルタ情報に含まれるルーティング対象アドレスを第１ルーティング対象アドレスと称し、中継サーバ１のアドレスフィルタ情報に含まれるルーティング対象アドレスを第２ルーティング対象アドレスと称することがある。
【００４９】
通知条件記憶部５６は、図９に示すような通知条件を記憶する。通知条件とは、パケットを受信した旨をユーザに通知するか否かを規定するものである。つまり、中継サーバ３は、パケットを受信したときに、受信したパケットがこの通知条件を満たすか否かを判定し、通知条件を満たすと判定したときにユーザへ通知を行う。
【００５０】
なお、中継サーバ３は、例えば中継サーバ１とＶＰＮを構築する場合、中継サーバ１へ通知条件を送信する。そして、中継サーバ１，３は、同じ通知条件を用いてパケットの監視を行う。なお、中継サーバ１，３の両方を介してパケットが送信される場合、通知の重複を防ぐために何れか一方のみの通知が行われるものとする。
【００５１】
本実施形態では、図９に示すように、通知条件の条件項目として、宛先アドレス、送信元アドレス、データ量、及び通信時間が登録されている。宛先アドレス及び送信元アドレスには、不明な端末からのアクセスがあったことを検出するために、未登録アドレス（交換後のアドレスフィルタ情報に記載されていないアドレス）が登録されている。また、本実施形態では、対象端末３３には、個人情報及び営業秘密等の重要な情報が記憶されているものとする。そのため、対象端末３３へのアクセスを把握するために、対象端末３３のアドレスも通知条件として登録されている。また、データ量が大きい場合及び通信時間が長い場合等は、不要なアクセスが行われている可能性があるため、通知条件として登録されている。
【００５２】
通知ログ記憶部５７は、図１０に示す通知ログを記録する。通知ログとは、通知条件を満たしたときに行われる通知の内容を記録した情報である。通知ログには、図１０に示すように、通知ＩＤ、通知元、通知時刻、通知内容等が含まれる。通知ＩＤの欄には、通知を識別するためのＩＤが記述されている。通知元の欄には、通知を行ったルーティング機器が記述されている。通知時刻の欄には、通知が行われた時刻が記述されている。通知内容の欄には、満たした通知条件の条件項目及び宛先アドレス又は送信元アドレス等が記述される。なお、中継サーバ１，３の両方を介してパケットが送信される場合、通知ログの重複を防ぐために何れか一方の通知ログが作成されるものとする。
【００５３】
次に、ＶＰＮを利用した通信を行うための準備について説明する。初めに、図１１を参照して中継サーバに予め行う設定について説明し、次に、図１２を参照してＶＰＮグループを作成するときの流れについて説明する。図１１は、予め中継サーバに行う設定を示すフローチャートである。図１２は、ＶＰＮグループを作成する処理を示すフローチャートである。以下では、中継サーバ３を例に挙げて、中継サーバ３に対して行う設定及び中継サーバ３が実行する処理について説明するが、中継サーバ１，２にも同様の設定が行われるとともに、同様の処理を実行可能であるとする。
【００５４】
中継サーバ３に予め行う設定としては、当該中継サーバ３のアドレスフィルタ情報の登録（Ｓ１０１）がある。この登録は、中継通信システム１００を利用するユーザが、ルーティング対象装置として指定する機器等のアドレス（第１ルーティング対象アドレス）と、名称と、を所定の方法で入力することにより行う。ここでは、ユーザは、対象端末３１，３２，３３のアドレス及び名称を入力したものとする。ここで登録されたアドレスフィルタ情報は、アドレスフィルタ情報記憶部５５に記憶される。
【００５５】
次に、ユーザは、前記通知条件の登録を行う（Ｓ１０２）。ここで登録された通知条件は、中継サーバ３の通知条件記憶部５６にのみ記憶される。
【００５６】
なお、アドレスフィルタ情報の登録は、ルーティング機器毎に行う必要がある。従って、ユーザは、中継サーバ１，２に対してもルーティング対象アドレスを入力してアドレスフィルタ情報を登録する。一方、本実施形態では中継サーバ３に登録された通知条件を他の中継サーバへ送信する構成である。従って、ユーザによる通知条件の登録は、中継サーバ３に対してのみ行われる。
【００５７】
以下、ＶＰＮグループを作成するときの流れについて説明する。ユーザは、初めに、クライアント端末１３，２２，３４等を操作することによって、ＶＰＮグループの設定画面を表示させることができる。ここでは、クライアント端末３４を用いて設定を行う場合について説明する。クライアント端末３４に表示させた設定画面には、当該クライアント端末３４が属する複数の中継グループが表示される。ユーザは、この複数の中継グループから、ＶＰＮグループを構築したい中継グループを選択する（Ｓ２０１）。
【００５８】
中継グループが選択されると、クライアント端末３４の画面には、選択した中継グループに属し、かつルーティングポイントとして機能可能な中継サーバ及びクライアント端末の識別情報の一覧が表示される（Ｓ２０２）。そして、ユーザは、構築するＶＰＮグループにおいてルーティングポイントとして機能させる中継サーバ及びクライアント端末を選択する（Ｓ２０３）。今回の説明では、中継サーバ１と、中継サーバ３と、がユーザに選択されたものとする。
【００５９】
そして、選択された中継サーバの識別情報に基づいて、ルーティングポイントの識別情報及び前記ルーティングセッション情報が作成される（Ｓ２０４）。そして、これらの情報にＶＰＮグループの識別情報等を付加することにより、図６で示したＶＰＮグループ情報が作成される。クライアント端末３４は、このＶＰＮグループ情報を、同じＶＰＮグループに所属する中継サーバ１，３へ送信する（Ｓ２０５）。そして、中継サーバ１，３は、受信したＶＰＮグループ情報をＶＰＮグループ情報記憶部５４に記憶する。以上により、ＶＰＮグループの構築処理が完了する。
【００６０】
次に、構築したＶＰＮグループでＶＰＮを利用した通信を開始するまでの流れについて、図１３及び図１４を参照して説明する。図１３及び図１４は、ＶＰＮを利用した通信を開始するまでに行う処理を示すフローチャートである。
【００６１】
ユーザは、クライアント端末１３等又は操作ＰＣ１１等を操作することによって、構築したＶＰＮグループを画面に表示させることができる。そして、表示されたＶＰＮグループから適当なＶＰＮグループを選択することにより（Ｓ３０１）、ＶＰＮを構築するための処理を行わせることができる。今回の説明では、上記で作成したＶＰＮグループ（中継サーバ１，３で構成されるＶＰＮグループ）の開始処理を中継サーバ３が行う例を説明する。
【００６２】
中継サーバ３は、初めに、自身に対応付けられたアドレスフィルタ情報を読み出す（Ｓ３０２）。ここで読み出される情報は、Ｓ１０１で登録された内容（図７（ｃ）に示す内容）である。次に、中継サーバ３は、選択されたＶＰＮグループに属するルーティングポイントの読出しを行う（Ｓ３０３）。これにより、図６に示すＶＰＮグループ情報の内容に基づいて、中継サーバ１が読み出される。
【００６３】
中継サーバ３は、中継サーバ情報に基づいて、初めに、中継サーバ１がログイン中か否か（「ｓｔａｔ」がａｃｔｉｖｅか空欄か）を判断する（Ｓ３０４）。図４に示す中継サーバ情報によれば中継サーバ１はログイン中であるため、中継サーバ３は、中継サーバ１へＶＰＮグループの識別情報とともに、ＶＰＮグループの開始コマンドを送信する（Ｓ３０５）。
【００６４】
中継サーバ３は、この開始コマンドに対する中継サーバ１からの応答を受けると（Ｓ３０６）、中継サーバ１を、ＶＰＮを構築する準備が完了したルーティングポイントとして登録する（Ｓ３０７）。
【００６５】
次に、中継サーバ３は、同じＶＰＮグループに所属する他の機器が有るか否かの判断を行う（Ｓ３０８）。現在作成中のＶＰＮグループは、中継サーバ１と中継サーバ３のみで構成されるため、他の機器は存在しない。なお、仮に他の機器が存在していた場合は、中継サーバ３は、今度は当該機器を対象としてＳ３０４〜Ｓ３０７の処理を行う。
【００６６】
次に、中継サーバ３は、ＶＰＮグループ情報記憶部５４の記憶内容からルーティングセッション情報を抽出する（図１４のＳ３０９）。そして、中継サーバ３は、抽出したルーティングセッション情報を参照して、自身が始点となるルーティングセッションが記述されているか否かを判断する（Ｓ３１０）。図６のルーティングセッション情報においては、中継サーバ１と中継サーバ３との間で確立されるべきルーティングセッションにおいて、自身（中継サーバ３）が始点となることが記述されている。
【００６７】
そのため、中継サーバ３は、中継サーバ１に対してルーティングセッションを確立するための通信制御を行う（Ｓ３１１）。なお、この通信制御を行う際に、前述のように、アドレスフィルタ情報が交換されるとともに（Ｓ３１２）、中継サーバ３から中継サーバ１へ通知条件が送信される（Ｓ３１２）。これにより、中継サーバ１，３のアドレスフィルタ情報記憶部５５には、図８に示す内容が記憶される。また、中継サーバ１，３の通知条件記憶部５６には、図９に示す内容が記憶される。
【００６８】
このように、本実施形態ではＶＰＮを構築する際に、それぞれのルーティング機器が他のルーティング機器とアドレスフィルタ情報を交換（取得）するため、最新のアドレスフィルタ情報を用いてＶＰＮを構築することができる。従って、ＶＰＮ開始前の段階で一部のルーティング機器においてアドレスフィルタ情報が変更された場合でも、その変更を全てのルーティング機器に反映させた状態でＶＰＮを構築して通信を開始できるので、パケットのルーティングにおける矛盾の発生を防止でき、信頼性を向上させることができる。
【００６９】
また、本実施形態では、中継サーバ３に登録された通知条件を中継サーバ１へ送信するため、中継サーバ１に通知条件を登録する必要がない。更に、中継サーバ３と中継サーバ１との通知条件を同一にできるので、統一した管理を行うことができる。あるいは、中継サーバ３で登録された通知条件と中継サーバ１で登録された通知条件をアドレスフィルタ情報と同じように（自分の通知条件を残しつつ通信相手の通知条件を追加するように）交換（取得）することで、それぞれの中継サーバで個別に通知条件を登録していても中継通信システム全体で統一した管理を行うことができる。
【００７０】
次に、中継サーバ３は、再びＳ３１０の処理を行う。現在作成中のＶＰＮグループは、中継サーバ１と中継サーバ３のみで構成されるため、他のルーティングセッションはＶＰＮグループ情報には記述されていない。従って、中継サーバ３は、パケットのルーティング制御を開始する（Ｓ３１３）。なお、仮に他のルーティングセッションがある場合は、中継サーバ３は、再びＳ３１１，Ｓ３１２の処理を行う。
【００７１】
また、図１４のフローチャートには記載していないが、Ｓ３１０において自身が接続の始点となるルーティングセッションが無い場合（自身がルーティングの終点となる場合）であっても、始点となるルーティング機器からの通信制御を受けてルーティングセッションの確立処理及びアドレスフィルタ情報の交換が行われる。
【００７２】
なお、それぞれのルーティング機器は、自身が始点である旨がルーティングセッション情報に記述されていない限りはルーティングセッション確立のための最初の通信制御を行わないので、通信制御の衝突を防止し、機器間のルーティングセッションを簡素な制御で確立することができる。
【００７３】
次に、図１５及び図１６を参照して、中継サーバ３がパケットをルーティングする際に行う制御について説明する。図１５は、ＬＡＮ３０からパケットを受信したときに中継サーバ３が行うルーティング制御を示すフローチャートである。図１６は、ルーティングセッションからパケットを受信したときに中継サーバ３が行うルーティング制御を示すフローチャートである。
【００７４】
初めに、中継サーバ３がＬＡＮ３０からパケットを受信したときに行う処理について説明する。中継サーバ３は、ＬＡＮ３０からパケットを受信するまで待機している（Ｓ４０１）。そして、ＬＡＮ３０からパケットを受信した場合、初めに、当該パケットの宛先が自機（中継サーバ３）であるか否かの判断を行う（Ｓ４０２）。中継サーバ３は、パケットの宛先が自機であった場合、当該パケットの受信を行う（Ｓ４０３）。一方、中継サーバ３は、パケットの宛先が自機以外であった場合、通知設定が有効になっているか否かの判断を行う（Ｓ４０４）。本実施形態では中継サーバ３には通知条件が設定されているので、通知設定が有効である。なお、中継サーバ３は、仮に通知設定が有効でない場合、以下のＳ４０５とＳ４０６の処理をスキップする。
【００７５】
次に、中継サーバ３は、受信したパケットが通知条件を満たすか否かの判断を行う（Ｓ４０５）。通知条件を満たさない場合、以下のＳ４０６の処理をスキップする。一方、受信したパケットが通知条件を満たす場合、中継サーバ３は、ＬＡＮ１０及びＬＡＮ３０内の所定の機器へ通知を行う（Ｓ４０６）。この通知は、電子メールで行うことができる他、中継通信システムの管理画面等にメッセージを表示することでユーザに通知を行っても良い。ユーザは、この通知を確認することにより、ＶＰＮを利用して行われている通信を把握することができる。
【００７６】
また、中継サーバ３は、この通知を行う前後に、通知内容のログを作成して通知ログ記憶部５７に記憶する（Ｓ４０６）。なお、中継サーバ３は、自機が備える通知ログ記憶部５７に通知内容を記憶するだけではなく、他の中継サーバ１へ通知内容を送信して通知ログ記憶部５７に記憶させても良い。
【００７７】
次に、中継サーバ３は、受信したパケットの宛先アドレスと、アドレスフィルタ情報（図８を参照）と、を比較する（Ｓ４０７）。中継サーバ３は、宛先アドレスがアドレスフィルタ情報に登録されていない場合、パケットを破棄する（Ｓ４０８）。一方、中継サーバ３は、宛先アドレスがアドレスフィルタ情報に登録されていた場合、当該アドレスフィルタ情報に対応するルーティングセッションへパケットを送信する（Ｓ４０９）。例えば、パケットの宛先アドレスが（２００．１．４０．１０）であった場合、図８に示すようにこのアドレスは中継サーバ１に対応付けられているので、中継サーバ３は、パケットを中継サーバ１へ送信する。
【００７８】
以上のように処理を行うことで、ＬＡＮ３０から受信したパケットについて、通知条件に基づいた通知、及び、アドレスフィルタ情報に基づいたルーティングを行うことができる。
【００７９】
なお、Ｓ４０８で示したように、ルーティング機器は、パケットの宛先アドレスが未登録であった場合、他のルーティング機器へパケットを送信しない。従って、例えばＳ４０８の処理を中継サーバ１が行った場合、中継サーバ３は、宛先アドレスが未登録のパケット（通知対象となるパケット）が送信されたことを検出できない。この点、本実施形態では、中継サーバ３だけでなく中継サーバ１も同じ通知条件で通知を行う構成であるので、パケットの検出漏れを防止して、セキュリティを向上させることができる。
【００８０】
次に、中継サーバ３がルーティングセッションからパケットを受信したときに行う処理について説明する。中継サーバ３は、ルーティングセッションからパケットを受信するまで待機している（Ｓ５０１）。そして、中継サーバ３は、パケットを受信した場合、通知設定が有効になっているか否かの判断を行う（Ｓ５０２）。本実施形態では中継サーバ３には通知条件が設定されているので、通知設定が有効である。なお、中継サーバ３は、通知設定が有効でない場合、Ｓ５０３とＳ５０４の処理をスキップする。
【００８１】
次に、中継サーバ３は、受信したパケットが通知条件を満たすか否かの判断を行う（Ｓ５０３）。通知条件を満たさない場合、以下のＳ５０４の処理をスキップする。一方、受信したパケットが通知条件を満たす場合、中継サーバ３は、ＬＡＮ１０及びＬＡＮ３０内の所定の機器へ通知を行うとともに、通知内容を通知ログ記憶部５７に記憶する（Ｓ５０４）。
【００８２】
次に、中継サーバ３は、受信したパケットの宛先アドレスと、アドレスフィルタ情報（図８を参照）と、を比較して、パケットの宛先アドレスが自機のアドレスフィルタ情報に対応付けて登録されているか否かの判断を行う（Ｓ５０５）。パケットの宛先アドレスが自機のアドレスフィルタ情報に対応付けて登録されている場合、中継サーバ３は、宛先が示す機器（対象端末３１，３２，３３）へ、パケットを転送する（Ｓ５０６）。
【００８３】
また、中継サーバ３は、宛先アドレスが自機のアドレスフィルタ情報に対応付けて登録されていない場合、当該宛先アドレスが他のルーティング機器のアドレスフィルタ情報に対応付けて登録されているか否かの判断を行う（Ｓ５０７）。当該宛先アドレスが他のルーティング機器のアドレスフィルタ情報に対応付けて登録されている場合、中継サーバ３は、当該アドレスフィルタ情報に対応するルーティングセッションへパケットを送信する（Ｓ５０８）。
【００８４】
一方、当該宛先アドレスが他のルーティング機器のアドレスフィルタ情報にも登録されていない場合、中継サーバ３は、当該パケットを破棄する（Ｓ５０９）。
【００８５】
以上のように処理を行うことで、ルーティングセッションから受信したパケットについて、通知条件に基づいた通知、及び、アドレスフィルタ情報に基づいたルーティングを行うことができる。
【００８６】
また、ユーザは、中継サーバ３（又は中継サーバ１）から通知を受けることで、送信元アドレス又は宛先アドレスが未登録アドレスである通信、及び、対象端末３３への通信があったこと等を把握することができる。特に、本実施形態では通知ログが作成されているので、ユーザは、通知ログを参照することにより、過去の通知内容も考慮して対応を行うことができる。
【００８７】
以下、通知ログの活用方法を簡単に説明する。例えば、同じ送信元アドレスから頻繁にアクセスが行われている場合、何者かがＶＰＮに侵入を試みている可能性がある。また、対象端末３３へ必要以上にアクセスが行われている場合、不要なアクセスが行われている可能性がある。例えば上記のことを検出したときに所定の対応を行うことで、情報の漏洩を未然に防ぐことが可能となる。
【００８８】
以上に示したように、本実施形態の中継サーバ３は、アドレスフィルタ情報記憶部５５と、通知条件記憶部５６と、制御部６０と、を備える。アドレスフィルタ情報記憶部５５は、第１ルーティング対象アドレスと、第２ルーティング対象アドレスと、を記憶する。通知条件記憶部５６は、パケットを受信した旨を通知する条件である通知条件を記憶する。中継サーバ３は、中継サーバ１へ第１ルーティング対象アドレスを送信するとともに、中継サーバ１から第２ルーティング対象アドレスを受信し、中継サーバ１とルーティングセッションを確立する。中継サーバ３は、第１ルーティング対象装置から第２ルーティング対象装置を宛先とするパケットを受信した際に、当該パケットを、ルーティングセッションを介して中継サーバ１へ転送する。中継サーバ３は、ルーティングセッションから第１ルーティング対象アドレスを宛先とするパケットを受信した際に、当該パケットを、宛先の第１ルーティング対象装置へ転送する。中継サーバ３は、ルーティングセッション又はＬＡＮ３０からパケットを受信したときに、通知条件を満たすか否かを判定し、通知条件を満たすと判定した場合に通知を行う。
【００８９】
これにより、ユーザは、ＶＰＮを利用して行われる通信のうち通知条件を満たす通信があったことを知ることができる。従って、ユーザは、例えば登録されていない端末からのアクセス等、セキュリティの観点から注意を払うべき通信を把握することができる。そのため、ユーザは、情報の漏洩を未然に防ぐことが可能となる。また、ユーザは、万が一情報が漏洩した場合であっても、事態の拡大を防ぐための対応を即座に行うことが可能となる。
【００９０】
また、本実施形態では、中継サーバ３の通知条件記憶部５６が記憶する通知条件と、中継サーバ１が記憶する通知条件と、が等しい。
【００９１】
これにより、通知が行われる条件をＶＰＮグループ内で同一にできるので、統一した管理を行うことができる。また、中継サーバ３以外に中継サーバ１がアクセスの監視を行うので、中継サーバ３に到達しないパケットについても監視対象とすることができる。
【００９２】
また、本実施形態の中継サーバ３は、第１ルーティング対象アドレスとともに通知条件を中継サーバ１へ送信する。
【００９３】
これにより、通知条件を独立して送信する場合と比較して、中継サーバ間の通信を単純にすることができる。
【００９４】
また、本実施形態の中継サーバ３は、通知条件を満たすと判定した場合に、ＬＡＮ３０に所属する端末及びＬＡＮ１０に所属する端末の両方へ通知を行う。
【００９５】
これにより、登録されていない端末からアクセスがあったことを、より多くの端末へ通知することができる。従って、例えばＬＡＮ３０の設置先が無人である場合、又は対応可能なユーザがいない場合であっても、他のＬＡＮ１０のユーザが通知に対応する等の柔軟な対応が可能になる。
【００９６】
また、本実施形態の中継サーバ３は、通知条件を満たすと判定して通知を行った場合に、当該通知内容を記録する。
【００９７】
これにより、ユーザ等は、記録された過去の通知内容を分析して、当該分析結果に基づいて不審なアクセス等に対処することができる。
【００９８】
以上に本発明の好適な実施の形態及び変形例を説明したが、上記の構成は例えば以下のように変更することができる。
【００９９】
通知条件を満たしたときの通知方法は、上記に限られず適宜の方法を用いることができる。また、通知先としては、上記実施形態のように同一ＬＡＮ内の機器及び他ＬＡＮ内の機器の両方に限られず、例えば片方のみであっても良い。
【０１００】
パケットの監視は、中継サーバ３のみで行っても良いし、中継サーバ１と中継サーバ３とで異なる通知条件を用いて行っても良い。
【０１０１】
通知条件は、上記実施形態で示した条件以外であっても良い。例えば、通信が行われた時刻を条件項目として追加しても良い。また、複数の条件を満たしたときにのみ通知が行われる構成であっても良い。また、通知条件の宛先アドレス又は送信元アドレスとしては、個別のアドレスだけでなく、範囲指定されたアドレス（例えばセグメント単位で指定されたアドレス）を用いて登録を行っても良い。通知手段は、中継サーバから電子メールを特定のメールアドレスに送信するようにしても良いし、ＬＡＮ内の特定の通信端末にＸＭＬ等の所定のデータ形式で通知情報を送信するようにしても良いし、ＳＮＭＰなどの汎用的なネットワーク監視プロトコルを利用して通知しても良い。
【０１０２】
上記では、ルーティングセッションの確立と略同時にアドレスフィルタ情報の交換を行う構成である。これに対し、ＶＰＮグループの開始コマンドの送信（Ｓ３０５）とともにアドレスフィルタ情報を送信し、応答（Ｓ３０６）とともにアドレスフィルタ情報を受信する構成でも良い。
【０１０３】
上記では、中継サーバのみがルーティングポイントとして機能する構成であるが、クライアント端末がルーティングポイントとして機能する構成であっても良い。また、ＶＰＮグループ内のルーティングポイントの数は２つに限られず、３つ以上であっても良い。また、１つのルーティング機器が複数のＶＰＮグループに所属していても良い。
【０１０４】
上記の中継グループ情報、中継サーバ情報、クライアント端末情報、ＶＰＮグループ情報、アドレスフィルタ情報等を格納する形式はＸＭＬ形式に限定されず、適宜の形式で各情報を格納することができる。
【０１０５】
上記実施形態の構成に代えて、各中継サーバ間での通信に用いられる外部サーバをインターネット上に設置し、ＳＩＰ（Ｓｅｓｓｉｏｎ  Ｉｎｉｔｉａｉｏｎ  Ｐｒｏｔｏｃｏｌ）サーバとしての機能を発揮させて通信を行う構成にしても良い。
【符号の説明】
【０１０６】
１  中継サーバ（第２中継サーバ）
３  中継サーバ（第１中継サーバ）
１１，１２  操作ＰＣ（第２ルーティング対象装置）
３１，３２，３３  対象端末（第１ルーティング対象装置）
１０  ＬＡＮ（第２ＬＡＮ）
３０  ＬＡＮ（第１ＬＡＮ）
５５  アドレスフィルタ情報記憶部
５６  通知条件記憶部
５７  通知ログ記憶部
１００  中継通信システム
【図１】
0005874355.tif 000002
【図２】
0005874355.tif 000003
【図３】
0005874355.tif 000004
【図４】
0005874355.tif 000005
【図５】
0005874355.tif 000006
【図６】
0005874355.tif 000007
【図７】
0005874355.tif 000008
【図８】
0005874355.tif 000009
【図９】
0005874355.tif 000010
【図１０】
0005874355.tif 000011
【図１１】
0005874355.tif 000012
【図１２】
0005874355.tif 000013
【図１３】
0005874355.tif 000014
【図１４】
0005874355.tif 000015
【図１５】
0005874355.tif 000016
【図１６】
0005874355.tif 000017